(57)【要約】  走査分子計数法の手法を利用して、厚みのある試料中に於いて動的に位置が変化する発光体又は発光粒子の検出が可能な顕微鏡観察技術が提供される。  本発明による光学顕微鏡観察技術に於いては、共焦点顕微鏡又は多光子顕微鏡の光学系を用いて液体中にて運動する発光粒子（ＬＰ）からの光を検出し発光粒子（ＬＰ）を検出する。処理操作に於いて、顕微鏡の観察対象領域（ＯｂＲ）を複数に分割して得られる観察小領域（ＯｓＲ）毎に光検出領域（ＣＶ）の位置を移動させながら、前記光検出領域（ＣＶ）からの光を検出して、前記発光粒子（ＬＰ）からの光の信号を個別に検出し、検出信号に対応する発光粒子（ＬＰ）の観察対象領域（ＯｂＲ）内に於ける位置を決定する。  また、前記観察小領域（ＯｓＲ）の各々に於ける前記光検出領域（ＣＶ）の位置の移動は、前記観察小領域（ＯｓＲ）毎に少なくとも二つの方向に連続して及び／又は同一方向に連続して複数回実行されてよい。
2015015951.tif 000002
【特許請求の範囲】
【請求項１】
共焦点顕微鏡又は多光子顕微鏡の光学系を用いて試料液体中の発光粒子からの光を検出し発光粒子を検出する光学顕微鏡装置であって、  前記顕微鏡の視野内に於ける観察対象領域を複数に分割して得られる観察小領域毎に該観察小領域内にて前記光検出領域の位置を連続して複数回移動する光検出領域移動部と、  前記光検出領域からの光を検出する光検出部と、  前記観察小領域の各々に於いて前記光検出領域の位置を移動させながら前記光検出部にて前記検出された前記光検出領域からの光の時系列の光強度データを生成し、前記時系列の光強度データに於いて前記発光粒子の各々からの光を表す信号の特徴を有する信号を個別に検出し、前記検出された信号に対応する発光粒子の各々の前記観察対象領域内に於ける位置を決定する信号処理部とを含む装置。
【請求項２】
請求項１の装置であって、前記観察小領域の各々に於ける前記光検出領域の位置の移動が前記観察小領域毎に少なくとも二つの方向に連続して実行される装置。
【請求項３】
請求項1又は２の装置であって、前記観察小領域の各々に於ける前記光検出領域の位置の移動が前記観察小領域毎に同一の方向に連続して複数回実行される装置。
【請求項４】
請求項1乃至３のいずれかの装置であって、前記観察小領域の寸法が前記光検出領域の寸法に基づいて決定される装置。
【請求項５】
請求項1乃至４のいずれかの装置であって、前記観察小領域に於いて前記光検出領域の位置を移動させる時間内に於ける検出されるべき発光粒子の移動距離が前記観察小領域の寸法よりも小さくなるよう前記観察小領域の寸法が設定される装置。
【請求項６】
請求項１乃至５のいずれかの装置であって、前記観察小領域の一辺の長さが前記光検出領域の直径に略等しくなるよう設定され、前記観察小領域の各々に於ける前記光検出領域の位置の一回の移動が、前記光検出領域のその進行方向の前縁が前記観察小領域の一方の縁を通過し、前記光検出領域のその進行方向の後縁が前記観察小領域の他方の縁に到達するまで実行される装置。
【請求項７】
請求項1乃至６のいずれかの装置であって、前記観察対象領域内に於ける位置の決定された前記発光粒子の位置を、任意の手法にて生成された前記観察対象領域の顕微鏡画像に於いて、プロットして得られるプロット画像を生成する装置。
【請求項８】
請求項１乃至７のいずれかの装置であって、前記信号処理部が前記観察小領域毎の前記複数回の前記光検出領域の移動によって得られた同一の発光粒子の信号の特性を用いて前記発光粒子の大きさに関する情報を決定する装置。
【請求項９】
請求項８の装置であって、前記発光粒子の大きさに関する情報の決定に用いられる前記発光粒子の信号の特性が、前記発光粒子の並進拡散特性を表す指標値又は前記発光粒子の回転拡散特性を表す指標値である装置。
【請求項１０】
請求項１乃至９のいずれかの装置であって、前記信号処理部が前記検出された発光粒子の数に基づいて、前記観察対象領域中の前記発光粒子の数又は前記液体中の発光粒子の濃度を決定する装置。
【請求項１１】
共焦点顕微鏡又は多光子顕微鏡の光学系を用いて試料液体中の発光粒子からの光を検出し発光粒子を検出する光学的顕微鏡観察方法であって、  前記顕微鏡の視野内に於ける観察対象領域を複数に分割して得られる観察小領域毎に該観察小領域内にて前記光検出領域の位置を連続して複数回移動する過程と、  前記光検出領域からの光を検出する過程と、  前記観察小領域の各々に於いて前記光検出領域の位置を移動させながら検出された前記光検出領域からの光の時系列の光強度データを生成し、前記時系列の光強度データに於いて前記発光粒子の各々からの光を表す信号の特徴を有する信号を個別に検出し、前記検出された信号に対応する発光粒子の各々の前記観察対象領域内に於ける位置を決定する過程とを含む方法。
【請求項１２】
請求項１１の方法であって、前記観察小領域の各々に於ける前記光検出領域の位置の移動が前記観察小領域毎に少なくとも二つの方向に連続して実行される方法。
【請求項１３】
請求項１１又は１２の方法であって、前記観察小領域の各々に於ける前記光検出領域の位置の移動が前記観察小領域毎に同一の方向に連続して複数回実行される方法。
【請求項１４】
請求項１１乃至１３のいずれかの方法であって、前記観察小領域の寸法が前記光検出領域の寸法に基づいて決定される方法。
【請求項１５】
請求項１１乃至１４のいずれかの方法であって、前記観察小領域に於いて前記光検出領域の位置を移動させる時間内に於ける検出されるべき発光粒子の移動距離が前記観察小領域の寸法よりも小さくなるよう前記観察小領域の寸法が設定される方法。
【請求項１６】
請求項１１乃至１５のいずれかの方法であって、前記観察小領域の一辺の長さが前記光検出領域の直径に略等しくなるよう設定され、前記観察小領域の各々に於ける前記光検出領域の位置の一回の移動が、前記光検出領域のその進行方向の前縁が前記観察小領域の一方の縁を通過し、前記光検出領域のその進行方向の後縁が前記観察小領域の他方の縁に到達するまで実行される方法。
【請求項１７】
請求項１１乃至１６のいずれかの方法であって、更に、前記観察対象領域内に於ける位置の決定された前記発光粒子の位置を、任意の手法にて生成された前記観察対象領域の顕微鏡画像に於いて、プロットして得られるプロット画像を生成する過程を含む方法。
【請求項１８】
請求項１３及び請求項１３を引用する請求項１４乃至１７のいずれかの方法であって、更に、前記観察小領域毎の前記複数回の前記光検出領域の移動によって得られた同一の発光粒子の信号の特性を用いて前記発光粒子の大きさに関する情報を決定する過程を含む方法。
【請求項１９】
請求項１８の方法であって、前記発光粒子の大きさに関する情報の決定に用いられる前記発光粒子の信号の特性が、前記発光粒子の並進拡散特性を表す指標値又は前記発光粒子の回転拡散特性を表す指標値である方法。
【請求項２０】
請求項１１乃至１９のいずれかの方法であって、更に、前記検出された発光粒子の数に基づいて、前記観察対象領域中の前記発光粒子の数又は前記液体中の発光粒子の濃度を決定する過程を含む方法。
【請求項２１】
共焦点顕微鏡又は多光子顕微鏡の光学系を用いて試料液体中の発光粒子からの光を検出し発光粒子を検出するための光学顕微鏡観察用コンピュータプログラムであって、  前記顕微鏡の視野内に於ける観察対象領域を複数に分割して得られる観察小領域毎に該観察小領域内にて前記光検出領域の位置を連続して複数回移動する手順と、  前記光検出領域からの光を検出する手順と、  前記観察小領域の各々に於いて前記光検出領域の位置を移動させながら検出された前記光検出領域からの光の時系列の光強度データを生成し、前記時系列の光強度データに於いて前記発光粒子の各々からの光を表す信号の特徴を有する信号を個別に検出し、前記検出された信号に対応する発光粒子の各々の前記観察対象領域内に於ける位置を決定する手順とをコンピュータに実行させることを特徴とするコンピュータプログラム。
【請求項２２】
請求項２１のコンピュータプログラムであって、前記観察小領域の各々に於ける前記光検出領域の位置の移動が前記観察小領域毎に少なくとも二つの方向に連続して実行されるコンピュータプログラム。
【請求項２３】
請求項２１又は２２のコンピュータプログラムであって、前記観察小領域の各々に於ける前記光検出領域の位置の移動が前記観察小領域毎に同一の方向に連続して複数回実行されるコンピュータプログラム。
【請求項２４】
請求項２１乃至２３のいずれかのコンピュータプログラムであって、前記観察小領域の寸法が前記光検出領域の寸法に基づいて決定されるコンピュータプログラム。
【請求項２５】
請求項２１乃至２４のいずれかのコンピュータプログラムであって、前記観察小領域に於いて前記光検出領域の位置を移動させる時間内に於ける検出されるべき発光粒子の移動距離が前記観察小領域の寸法よりも小さくなるよう前記観察小領域の寸法が設定されるコンピュータプログラム。
【請求項２６】
請求項２１乃至２５のいずれかのコンピュータプログラムであって、前記観察小領域の一辺の長さが前記光検出領域の直径に略等しくなるよう設定され、前記観察小領域の各々に於ける前記光検出領域の位置の一回の移動が、前記光検出領域のその進行方向の前縁が前記観察小領域の一方の縁を通過し、前記光検出領域のその進行方向の後縁が前記観察小領域の他方の縁に到達するまで実行されるコンピュータプログラム。
【請求項２７】
請求項２１乃至２６のいずれかのコンピュータプログラムであって、更に、前記観察対象領域内に於ける位置の決定された前記発光粒子の位置を、任意の手法にて生成された前記観察対象領域の顕微鏡画像に於いて、プロットして得られるプロット画像を生成する手順を含むコンピュータプログラム。
【請求項２８】
請求項２３及び請求項２３を引用する請求項２４乃至２７のいずれかのコンピュータプログラムであって、更に、前記観察小領域毎の前記複数回の前記光検出領域の移動によって得られた同一の発光粒子の信号の特性を用いて前記発光粒子の大きさに関する情報を決定する手順を含むコンピュータプログラム。
【請求項２９】
請求項２８のコンピュータプログラムであって、前記発光粒子の大きさに関する情報の決定に用いられる前記発光粒子の信号の特性が、前記発光粒子の並進拡散特性を表す指標値又は前記発光粒子の回転拡散特性を表す指標値であるコンピュータプログラム。
【請求項３０】
請求項２１乃至２９のいずれかのコンピュータプログラムであって、更に、前記検出された発光粒子の数に基づいて、前記観察対象領域中の前記発光粒子の数又は前記液体中の発光粒子の濃度を決定する手順を含むコンピュータプログラム。
【発明の詳細な説明】
【技術分野】
【０００１】  本発明は、液体中の原子、分子又はこれらの凝集体（以下、これらを「粒子」と称する。）、例えば、タンパク質、ペプチド、核酸、脂質、糖鎖、アミノ酸若しくはこれらの凝集体などの生体分子、ウイルス、細胞などの粒子状の対象物、或いは、非生物学的な粒子を検出し又は画像化する光学顕微鏡観察技術に係り、より詳細には、共焦点顕微鏡又は多光子顕微鏡の光学系などの溶液中の微小領域からの光が検出可能な光学系を用いて、単一の発光する粒子からの光を個別に検出する単一発光粒子検出技術を用いた光学顕微鏡装置、顕微鏡観察法及び顕微鏡観察のためのコンピュータプログラムに係る。なお、本明細書に於いて、光を発する粒子（以下、「発光粒子」と称する。）は、それ自身が光を発する粒子、又は、任意の発光標識若しくは発光プローブが付加された粒子のいずれであってもよく、発光粒子から発せられる光は、蛍光、りん光、化学発光、生物発光、散乱光等であってよい。
【背景技術】
【０００２】  近年の光計測技術の発展により、蛍光一分子レベルの微弱光の検出・測定による光学顕微鏡観察及び顕微鏡像の画像化（二次元又は三次元に於ける像の位置の特定）が可能となっている。例えば、特許文献１等に於いて記載されている如く、レーザー走査型共焦点顕微鏡と超高感度の光検出器とから構成される顕微鏡装置によれば、試料内にて顕微鏡の光の検出領域である微小領域（以下、「光検出領域」と称する。）を、試料内を走査するように移動しながら、光検出領域からの光を検出することによって、試料内の状態が画像化される。かかる共焦点顕微鏡の光学系の場合、光検出領域の外から発せられる光は遮断され光検出器に到達しないので、蛍光一分子レベル又は一光子レベルの微弱光の検出・測定が可能であり、従って、そのような微弱光による画像化が可能となる。また、蛍光一分子レベルの微弱光による光学顕微鏡観察及び顕微鏡像の画像化の別の手法として、特許文献２等に於いて記載されている如く、エバネッセント光を用いた顕微鏡装置も提案されている。かかるエバネッセント光を用いた顕微鏡装置の場合には、カバーガラスの表面付近の〜１００ｎｍ程度の薄い領域にのみ励起光が与えられ、その薄い領域以外からの光放出がなくなることから、顕微鏡像に於ける背景光が大幅に低減され、これにより、蛍光一分子レベル又は一光子レベルの微弱光による像が得られることとなる。【０００３】  ところで、本願出願人は、特許文献３〜８等に於いて、液体中に分散又は溶解した発光粒子の検出を可能にする新規な光分析技術（以下、「走査分子計数法」と称する。）を提案した。この走査分子計数法では、共焦点顕微鏡又は多光子顕微鏡の光学系などの溶液中の微小領域からの光が検出可能な光学系を用いて、光検出領域の位置を移動させながら、即ち、光検出領域により試料溶液内を走査しながら、光検出領域が試料溶液中に分散してランダムに運動する発光粒子を包含したときに、その発光粒子から発せられる光を個別に検出し、これにより、試料溶液中の発光粒子を一つずつ検出して、発光粒子のカウンティングや試料溶液中の発光粒子の濃度又は数密度に関する情報の取得が可能となる。
【先行技術文献】
【特許文献】
【０００４】
【特許文献１】特開２００５−０１７６４２
【特許文献２】特開２００６−１６２９９４
【特許文献３】国際公開第２０１１／１０８３６９
【特許文献４】国際公開第２０１１／１０８３７０
【特許文献５】国際公開第２０１１／１０８３７１
【特許文献６】国際公開第２０１２／０５００１１
【特許文献７】国際公開第２０１２／０５３３５５
【特許文献８】国際公開第２０１３／０３１４３９
【発明の概要】
【発明が解決しようとする課題】
【０００５】  上記のレーザー走査型共焦点顕微鏡装置の場合、典型的には、ラスタスキャン方式によって、観察対象領域を二次元又は三次元的に走査し、検出された光強度値を観察対象領域内の位置情報と関連させて、顕微鏡像が構成される。ラスタスキャン方式の場合、通常、観察対象領域内にて光検出領域を或る一方の方向に於いて往復動させながら、光検出領域の往復動の経路が他方の方向に変位させられて、観察対象領域内の画像が形成される。そして、検出される光強度が微弱である場合には、同じ領域の走査を繰り返し、光強度の積算が実行される。かかる構成の場合、観察対象領域の走査に要する時間に於いて、観察対象領域内で実質的に静止している発光体又は発光粒子の画像は、明瞭に形成されるが、拡散や輸送など動的な状態にある発光体又は発光粒子については、複数回に亘る観察対象領域の走査の間に発光体又は発光粒子の位置が移動してしまい、有効な積算効果が得られないこととなる。一方、エバネッセント光を用いた顕微鏡装置の場合は、観察対象領域がカバーガラスの表面に限定されてしまうので、厚みのある試料中の発光体又は発光粒子の像を画像化することは困難である。【０００６】  ところで、既に触れた如く、共焦点顕微鏡又は多光子顕微鏡の光学系を用いて、光検出領域を液体中で移動しながら、発光粒子の存在を検出する走査分子計数法の手法によれば、厚みのある試料中に於いて動的に位置が変化する発光体又は発光粒子からの微弱光を検出することが可能である。従って、顕微鏡観察による画像化に於いて、走査分子計数法の手法を利用すれば、厚みのある試料中に於いて動的に位置が変化する発光体又は発光粒子の画像の形成が達成できそうである。【０００７】  かくして、本発明の主な課題は、走査分子計数法の手法を利用して、厚みのある試料中に於いて動的に位置が変化する発光体又は発光粒子の画像の形成が可能な顕微鏡装置、顕微鏡観察法及びそのためのコンピュータプログラムを提供することである。
【課題を解決するための手段】
【０００８】  本発明の一つの態様によれば、上記の課題は、共焦点顕微鏡又は多光子顕微鏡の光学系を用いて試料液体中の発光粒子からの光を検出して発光粒子を検出する光学顕微鏡装置であって、顕微鏡の視野内に於ける観察対象領域を複数に分割して得られる観察小領域毎に該観察小領域内にて光検出領域の位置を連続して複数回移動する光検出領域移動部と、光検出領域からの光を検出する光検出部と、観察小領域の各々に於いて光検出領域の位置を移動させながら光検出部にて検出された光検出領域からの光の時系列の光強度データを生成し、時系列の光強度データに於いて発光粒子の各々からの光を表す信号の特徴を有する信号を個別に検出し、検出された信号に対応する発光粒子の各々の観察対象領域内に於ける位置を決定する信号処理部とを含む装置によって達成される。【０００９】  上記の構成に於いて、「試料液体中にて運動する発光粒子」とは、任意の液体中、例えば、細胞内若しくは細胞小器官内にて運動可能な状態にある原子、分子又はそれらの凝集体などの、光を発する粒子であってよい。発光粒子は、典型的には、蛍光性粒子であるが、りん光、化学発光、生物発光、散乱光等により光を発する粒子であってもよい。共焦点顕微鏡又は多光子顕微鏡の光学系の「光検出領域」とは、それらの顕微鏡に於いて光が検出される微小領域であり、対物レンズから照明光が与えられる場合には、その照明光が集光された領域に相当する（共焦点顕微鏡に於いては、特に対物レンズとピンホールとの位置関係により確定される。）。「観察対象領域」とは、顕微鏡の視野の内の、本装置に於いて画像化される二次元又は三次元の領域であり、「観察小領域」は、「観察対象領域」を仮想的に格子状に又はグリッド状に分割して得られる複数の領域の各々である。また、光検出部は、所定の計測単位時間（ビンタイム）毎に到来する光子数を計数するフォトンカウンティングにより光検出領域からの光を検出する形式の光検出器を用いた構成であってよく、その場合、時系列の光強度データが時系列のフォトンカウントデータとなる。なお、本明細書に於いて、「発光粒子の信号」という場合には、特に断らない限り、発光粒子からの光を表す信号を指すものとする。【００１０】  上記から理解される如く、本発明の基本的な構成に於いては、レーザー走査型の共焦点顕微鏡又は多光子顕微鏡の如く、試料液体中に於いて「光検出領域」（コンフォーカル・ボリューム）の位置が所定の二次元又は三次元空間内にて移動され、即ち、試料液体内の二次元又は三次元空間（「観察対象領域」）が光検出領域によって走査され、これにより、「観察対象領域」から発せられる光が検出される。しかしながら、本発明の場合には、特に、光検出領域による観察対象領域内の走査の態様と検出された光の信号処理の態様とが通常と異なる。即ち、本発明に於いては、光検出領域による走査が、「観察対象領域」を仮想的に格子状に又はグリッド状に分割して得られる「観察小領域」毎に連続して複数回実行され、移動する光検出領域が液体中の発光粒子を包含したときに発光粒子からの光が検出される（走査分子計数法の光計測）。そして、かくして得られた検出光の時系列光強度データの処理に於いて、「観察小領域」毎に、発光粒子からの光の信号の有無を検出する態様にて、その領域内に存在する発光粒子の個別の検出が行われ（走査分子計数法の発光粒子の個別の検出）、発光粒子が存在している場合には、観察対象領域内での位置の決定が為される。即ち、本発明の構成に於いては、顕微鏡観察の際に、観察小領域毎に走査分子計数法の原理を適用し、観察小領域毎に発光粒子の存在が検出されることとなる。【００１１】  かかる構成によれば、観察小領域の寸法が観察対象領域の寸法よりも十分に小さいので、個々の発光粒子からの微弱な光を個別に且つ有意に検出して個々の発光粒子の位置の特定を可能とする走査速度での各観察小領域の走査に要する時間は短くなる。即ち、或る一つの発光粒子の検出にかかる走査時間が短くなるので、発光粒子の位置が時間と共に変化する場合であっても、その位置が大きく変化する前にその発光粒子からの光を有意に複数回検出することを、より確実に達成できることとなる。また、本発明の構成に於いては、試料液体中での光検出領域の位置は、（エバネッセント光による顕微鏡観察法とは異なり、）試料容器の表面付近に限定されないので、厚みのある試料液体中の内部に於いて試料容器の表面付近から離れた場所にて運動する発光粒子であってもその存在の検出及び位置の特定が可能である。理解されるべきことは、本発明の構成に於いては、検出された発光粒子の位置が決定されるので、観察対象領域内の発光粒子の存在位置を二次元又は三次元の画像として表現できるという点である。なお、特定される発光粒子の位置に関して、まず、観察対象領域内に於ける観察小領域の位置が発光粒子の位置として特定可能である。また、或いは、更に、発光粒子の検出の実施の態様によっては、後の実施形態の欄に説明されている如く、観察小領域内での発光粒子の位置が特定可能である。【００１２】  上記の構成に於いて、観察小領域の各々に於ける光検出領域の位置の連続した複数回の移動、即ち、光検出領域よる各観察小領域の複数回の走査は、一つの態様に於いて、観察小領域毎に少なくとも二つの方向に連続して実行されてよい。例えば、一つの観察小領域に於けるＸ方向の走査及びＹ方向の走査が連続して実行されるか、或いは、Ｘ方向の走査、Ｙ方向の走査及びＺ方向の走査が連続して実行されてよい。この場合、後の実施形態の欄にて詳細に説明される如く、一つの観察小領域内に於ける発光粒子のＸ方向及びＹ方向の位置又はＸ方向、Ｙ方向及びＺ方向の位置が決定できることとなる。また、光検出領域よる各観察小領域の複数回の走査は、同一の方向に連続して実行されてもよい。この場合、観察小領域内に発光粒子が存在するときには、その光の積算が可能となり、或いは、複数回の走査時に於ける位置のずれから、発光粒子の移動特性又は並進拡散特性についての情報を得ることが可能となる。ここで、理解されるべきことは、複数回の走査は、寸法の小さい観察小領域毎に実行されることから、その走査時間に於いて同一の発光粒子が走査中の観察小領域から逸脱する可能性が低くなり、従って、同一の発光粒子の光を複数回の走査に亘って検出できる可能性が高くなる（同一の発光粒子の光の複数回の走査に亘る検出の成立率が高くなる）ということである。【��０１３】  上記の観察小領域の寸法は、光検出領域が観察小領域を走査するのに要する時間を決定するので、具体的には、光検出領域の寸法に基づいて決定されてよい。この点に関し、上記に触れた如く、光検出領域による複数回の走査の間に同一の発光粒子の光をより確実に捉えるためには、光検出領域による走査時間中に、同一の発光粒子が逸脱しないように、観察小領域の寸法を調整しておくことが好ましい。従って、好適には、観察小領域に於いて光検出領域の位置を移動させる時間内に於ける検出されるべき発光粒子の（予想される）移動距離が観察小領域の寸法よりも小さくなるように観察小領域の寸法が設定される。【００１４】  また、観察小領域内にて光検出領域が或る一方向に移動する際、一回の移動で光検出領域が観察小領域全域を網羅できている方が走査時間の短縮となる。従って、観察小領域の一辺の長さは、光検出領域の直径に略等しくなるよう設定されていることが好ましい。この点に関し、後の実施形態の欄に於いて詳細に説明される如く、走査分子計数法による発光粒子の検出に於いては、典型的には、光検出領域が発光粒子の存在位置を通過した際に、釣鐘型のプロファイルを有するパルス状の光強度の時間変化が発光粒子から光の信号として捉えられる。かかる釣鐘型のプロファイルは、光検出領域内に於ける発光粒子から放出され検出される光の強度が、光検出領域内に於ける発光粒子の位置によって変化し、その光の強度分布が、発光粒子の位置が光検出領域内の略中心から周縁に向かって移動するにつれて光の強度が低減する釣鐘型の分布であることに起因する。従って、観察小領域内に存在する発光粒子から光の信号をより確実に捉えるためには、検出光から生成される時系列の光強度データに於いて発光粒子からの光の信号の釣鐘型のプロファイルが現れていることが好ましい。一方、発光粒子は、観察小領域の中心からずれた位置に存在し得る。即ち、観察小領域の中心からずれた位置に存在する発光粒子も含めて観察小領域の全域に存在する全ての発光粒子について、それらの信号の釣鐘型のプロファイルを捉えるためには、観察小領域の全域に光検出領域の縁部分を通過させることが必要となる。そのためには、光検出領域の進行方向の前縁及び後縁が観察小領域の、光検出領域の進行方向の両辺（又は両面）を通過することが好ましいこととなる。従って、上記の本発明に於いては、更に、観察小領域の各々に於ける光検出領域の位置の一回の移動は、光検出領域のその進行方向の前縁が観察小領域の一方の縁を通過し、光検出領域のその進行方向の後縁が観察小領域の他方の縁に到達するまで実行されることが好ましい。なお、かかる光検出領域の位置の一回の移動の態様は、好適には、走査が実行される全ての方向（Ｘ、Ｙ、Ｚ）に於いて適用される。かかる構成によれば、発光粒子の信号の釣鐘型のプロファイルの解析から観察小領域内に存在する発光粒子の観察小領域内での位置の決定も可能となる（後述の実施形態の欄参照）。【００１５】  上記の構成に於いて、光検出領域による走査の際のその位置の移動速度は、観測対象となる発光粒子の特性又は試料溶液中の数密度又は濃度に基づいて適宜変更可能となっていてよい。特に、光検出領域の移動速度が速��なると、検出される光量が低減するので、検出光量が精度よく又は感度よく計測できるように、光検出領域の移動速度は、適宜変更可能となっていることが好ましい。この点に関し、更に好適には、光検出領域の位置の移動速度は、発光粒子の拡散移動速度（ブラウン運動による粒子の平均の移動速度）よりも高く設定される。既に触れた如く、「走査分子計数法」の手法を採用した本発明の観察技術に於いては、光検出領域が発光粒子を包含したときにその発光粒子からの光を検出して、その発光粒子の存在を検出するところ、発光粒子がブラウン運動によりランダムに移動して、（一回の走査に於いて）光検出領域を複数回出入りする場合には、１つの発光粒子から複数回、その存在を表す信号が検出されてしまい、検出された信号と１つの発光粒子の存在とを対応させることが困難となる。そこで、上記の如く、光検出領域の移動速度は、発光粒子の拡散移動速度よりも高く設定され、１つの発光粒子を一つの（発光粒子の存在を表す）信号に対応させられることとなる。なお、拡散移動速度は、発光粒子の特性によって変わるので、上記の如く、発光粒子の特性（特に、拡散定数）に応じて、光検出領域の移動速度が適宜変更可能であることが好ましい。【００１６】  光検出領域の位置の移動は、任意の方式で為されてよい。例えば、レーザー走査型光学顕微鏡に於いて採用されているガルバノミラーを用いるなどして、顕微鏡の光学系の光路を変更して光検出領域の位置が変更されるようになっていてよく、或いは、試料溶液の位置を（例えば、顕微鏡のステージを移動するなどして）動かして、光検出領域の試料溶液内に於ける相対的な位置を移動するようになっていてよい。対物レンズの光軸方向の移動は、対物レンズの高さ方向位置又はステージの高さ方向位置を調節するか、対物レンズの後端から入出するビーム光を（平行光とするのではなく）収斂光又は拡散光にする機構により達成可能である。【００１７】  ところで、上記の本発明の顕微鏡観察技術に於いては、走査分子計数法の発光粒子の個別検出の手法が採用されているところ、走査分子計数法に於いては、その光の特性や光の信号の発生時刻等を任意の手法にて検出できるようにすることにより、かかる発光粒子の状態又は特性に関する情報、特に、発光粒子の大きさに関する情報を取得することが可能である（特許文献６−７）。従って、上記の本発明に於いて、信号処理部が観察小領域毎の複数回の光検出領域の移動によって得られた同一の発光粒子の信号の特性を用いて発光粒子の大きさに関する情報を決定するよう構成されていてよい。かかる発光粒子の信号の特性としては、具体的には、発光粒子の並進拡散特性を表す指標値又は発光粒子の回転拡散特性を表す指標値であってよい。なお、かかる構成に於いて、本発明の場合、観察対象領域内に於いて発光粒子の位置が決定された状態にて、或いは、画像として発光粒子の位置が表現された状態にて、個々の発光粒子の大きさに関する情報が得られるということは、理解されるべきである。【００１８】  また、既に述べた如く、本発明にて検出された発光粒子に於いては、観察対象領域内に於けるその位置が決定され、画像として表現可能である。従って、発光粒子の位置を任意の手��にて生成された観察対象領域の顕微鏡画像（例えば、透過光像や落射蛍光像など）に重畳して表現することが可能である。従って、本発明の装置に於いて、観察対象領域内に於ける位置の決定された発光粒子の位置を、任意の手法にて生成された観察対象領域の顕微鏡画像に於いて、プロットして得られるプロット画像が生成されるようになっていてよい。かかる構成によれば、発光粒子の位置を、観察対象領域の別の手法による顕微鏡画像、例えば、細胞や細胞小器官の顕微鏡画像と重ね合わせて観察できる点で有利である。また、その際、発光粒子の大きさやその他の特性が検出可能な場合には、細胞や細胞小器官の顕微鏡画像と重ね合わせて発光粒子の特性を参照可能とすることにより、更に様々な情報が得られることが期待される。【００１９】  更にまた、「走査分子計数法」によれば、信号の数を計数して光検出領域に包含された発光粒子の数を計数し（粒子のカウンティング）、或いは、発光粒子の濃度に関する情報を得ることが可能である。従って、本発明に於ける信号処理部は、検出された発光粒子の数に基づいて、観察対象領域中の発光粒子の数又は液体中の発光粒子の濃度を決定するよう構成されていてよい。かかる構成に於いても、発光粒子の濃度が観察対象領域の別の手法による顕微鏡画像と合わせて観察可能である点は有利である。【００２０】  上記の本発明の装置による走査分子計数法の手法を採用した顕微鏡観察技術の処理は、汎用のコンピュータを用いても実現可能である。従って、本発明のもう一つの態様によれば、共焦点顕微鏡又は多光子顕微鏡の光学系を用いて試料液体中の発光粒子からの光を検出して発光粒子を検出するための光学顕微鏡観察用コンピュータプログラムであって、顕微鏡の視野内に於ける観察対象領域を複数に分割して得られる観察小領域毎に該観察小領域内にて光検出領域の位置を連続して複数回移動する手順と、光検出領域からの光を検出する手順と、観察小領域の各々に於いて光検出領域の位置を移動させながら検出された光検出領域からの光の時系列の光強度データを生成し、時系列の光強度データに於いて発光粒子の各々からの光を表す信号の特徴を有する信号を個別に検出し、検出された信号に対応する発光粒子の各々の前記観察対象領域内に於ける位置を決定する手順とをコンピュータに実行させることを特徴とするコンピュータプログラムが提供される。【００２１】  かかるコンピュータプログラムに於いても、観察小領域の各々に於ける光検出領域の位置の移動は、観察小領域毎に少なくとも二つの方向に連続して及び／又は同一の方向に連続して複数回実行されてよい。観察小領域の寸法は、光検出領域の寸法に基づいて決定されてよく、好適には、観察小領域に於いて光検出領域の位置を移動させる時間内に於ける検出されるべき発光粒子の移動距離が観察小領域の寸法よりも小さくなるように、観察小領域の寸法が設定されてよい。また、実施の態様に於いては、観察小領域の一辺の長さが光検出領域の直径に略等しくなるよう設定され、観察小領域の各々に於ける光検出領域の位置の一回の移動が、光検出領域のその進行方向の前縁が観察小領域の一方の縁を通過し、光検出領域のその進行方向の後縁が観察小領域の他方の縁に到達する��で実行されてよい。なお、好適には、光検出領域の位置の移動速度は、発光粒子の拡散移動速度よりも高く設定される。【００２２】  更に、上記のコンピュータプログラムに於いても、観察対象領域内に於ける位置の決定された発光粒子の位置を、任意の手法にて生成された観察対象領域の顕微鏡画像に於いて、プロットして得られるプロット画像を生成する手順及び／又は観察小領域毎の複数回の光検出領域の移動によって得られた同一の発光粒子の信号の特性を用いて発光粒子の大きさに関する情報を決定する手順が含まれていてよく、発光粒子の大きさに関する情報の決定に用いられる発光粒子の信号の特性は、例えば、発光粒子の並進拡散特性を表す指標値又は前記発光粒子の回転拡散特性を表す指標値であってよい。また、上記のコンピュータプログラムは、検出された発光粒子の数に基づいて、観察対象領域中の発光粒子の数又は液体中の発光粒子の濃度を決定する手順を含んでいてよい。【００２３】  また更に、上記の本発明の装置又はコンピュータプログラムによれば、走査分子計数法の手法を採用した新規な顕微鏡観察方法が実現される。従って、本発明の更にもう一つの態様によれば、共焦点顕微鏡又は多光子顕微鏡の光学系を用いて試料液体中の発光粒子からの光を検出して発光粒子を検出する光学顕微鏡観察方法であって、顕微鏡の視野内に於ける観察対象領域を複数に分割して得られる観察小領域毎に該観察小領域内にて光検出領域の位置を連続して複数回移動する過程と、光検出領域からの光を検出する過程と、観察小領域の各々に於いて光検出領域の位置を移動させながら検出された光検出領域からの光の時系列の光強度データを生成し、時系列の光強度データに於いて発光粒子の各々からの光を表す信号の特徴を有する信号を個別に検出し、検出された信号に対応する発光粒子の各々の観察対象領域内に於ける位置を決定する過程とを含む方法が提供される。【００２４】  かかる方法に於いても、観察小領域の各々に於ける光検出領域の位置の移動は、観察小領域毎に少なくとも二つの方向に連続して及び／又は同一の方向に連続して複数回実行されてよい。観察小領域の寸法は、光検出領域の寸法に基づいて決定されてよく、好適には、観察小領域に於いて光検出領域の位置を移動させる時間内に於ける検出されるべき発光粒子の移動距離が観察小領域の寸法よりも小さくなるように、観察小領域の寸法が設定されてよい。また、実施の態様に於いては、観察小領域の一辺の長さが光検出領域の直径に略等しくなるよう設定され、観察小領域の各々に於ける光検出領域の位置の一回の移動が、光検出領域のその進行方向の前縁が観察小領域の一方の縁を通過し、光検出領域のその進行方向の後縁が観察小領域の他方の縁に到達するまで実行されてよい。なお、好適には、光検出領域の位置の移動速度は、発光粒子の拡散移動速度よりも高く設定される。【００２５】  更に、上記の方法に於いても、観察対象領域内に於ける位置の決定された発光粒子の位置を、任意の手法にて生成された観察対象領域の顕微鏡画像に於いて、プロットして得られるプロット画像を生成する過程及び／又は観察小領域毎の複数回の光検出領域の移動によって得られた同一の発光粒子の信号の特性を用いて発光粒子の大きさに関する情報を決定する過程が含まれていてよく、発光粒子の大きさに関する情報の決定に用いられる発光粒子の信号の特性は、例えば、発光粒子の並進拡散特性を表す指標値又は前記発光粒子の回転拡散特性を表す指標値であってよい。また、上記の方法は、検出された発光粒子の数に基づいて、観察対象領域中の発光粒子の数又は液体中の発光粒子の濃度を決定する過程を含んでいてよい。【００２６】  上記の本発明の顕微鏡観察技術は、典型的には、タンパク質、ペプチド、核酸、脂質、糖鎖、アミノ酸若しくはこれらの凝集体などの生体分子、ウイルス、細胞などの粒子状の生物学的な対象物の液体中、例えば、細胞内又は細胞小器官内、での状態の観察、分析又は解析の用途に用いられるが、非生物学的な粒子（例えば、原子、分子、ミセル、金属コロイドなど）の任意の液体中の状態の分析又は解析に用いられてもよく、そのような場合も本発明の範囲に属することは理解されるべきである。
【発明の効果】
【００２７】  かくして、本発明によれば、走査型光学顕微鏡による観察及び解析に於いて、走査分子計数法の手法を採用することによって、厚みのある試料液体の内部に存在し運動する発光粒子を、従前に比して、より精度良く個別に検出し観察することが可能となる。特に、本発明の構成によれば、検出された発光粒子の位置が特定できることから、発光粒子の分布を二次元又は三次元の画像として表現することが可能であり、より多角的な顕微鏡観察及び解析により、従前では把握されなかった種々の情報や知見の取得が期待される。特に、本発明の構成に於いては、発光粒子の存在分布を細胞や細胞小器官の顕微鏡画像に重畳して観察可能であるので、細胞や細胞小器官の内部に於ける任意の粒子の振舞いを個別に観察するといった実験に有利に用いられるであろう。【００２８】  本発明のその他の目的及び利点は、以下の本発明の好ましい実施形態の説明により明らかになるであろう。
【図面の簡単な説明】
【００２９】
【図１】図１（Ａ）は、本発明による走査分子計数法を採用した光学顕微鏡装置の内部構造の模式図である。図１（Ｂ）は、コンフォーカル・ボリューム（共焦点顕微鏡の観察対象領域）の模式図である。図１（Ｃ）は、ミラー７の向きを変更して試料（細胞）内に於いて光検出領域の位置を移動する機構の模式図である。図１（Ｄ）は、マイクロプレートの水平方向位置を移動して試料（細胞）内に於ける光検出領域の位置を移動する機構の模式図である。
【図２】図２（Ａ）、（Ｂ）は、それぞれ、本発明が適用される走査分子計数法に於ける光検出の原理を説明する模式図及び計測される光強度の時間変化の模式図である。
【図３】図３（Ａ）は、顕微鏡の視野内に於いて設定される観察対象領域ＯｂＲと観察小領域ＯｓＲの模式的な平面図である。図３（Ｂ）は、三次元の観察対象領域と観察小領域の模式的な斜視図である。図３（Ｃ）は、観察小領域を通過する光検出領域の移動の態様を説明する模式的な斜視図である。
【図４】図４（Ａ）、（Ｂ）は、観察小領域を光検出領域にて走査した場合の観察小領域と光検出領域（上段）及び光強度の時間変化（下段）の例を模式的に表した図である。図４（Ｃ）は、観察小領域内の発光粒子の位置（座標）を特定する原理を説明する観察小領域と光検出領域の位置関係を示す模式的な平面図と、光強度の時間変化の例を模式的に表した図である。
【図５】図５は、本発明に従って実行される顕微鏡観察法に於ける発光粒子の検出処理手順をフローチャートの形式で表した図である。
【図６】図６（Ａ）、（Ｂ）は、それぞれ、発光粒子がブラウン運動をしながら光検出領域を横切る場合及び試料液体内の光検出領域の位置を発光粒子の拡散移動速度よりも速い速度にて移動することにより発光粒子が光検出領域を横切る場合の粒子の運動の態様を表すモデル図である。図６（Ｃ）は、走査分子計数法に従って計測された時系列光強度データ（フォトンカウントの時間変化）から発光粒子の存在を検出するための処理手順に於ける検出信号の信号処理過程の例を説明する図である。
【図７】図７は、計測されたフォトンカウントデータの実測例（棒グラフ）と、データをスムージングして得られる曲線（点線）と、パルス存在領域にてフィッティングされたガウス関数（実線）を示している。図中、「ノイズ」と付された信号は、ノイズ又は異物による信号であるとして無視される。
【図８】図８は、本発明による顕微鏡観察法に従って発光粒子の位置の検出を行う場合の観察小領域の模式図（Ａ、Ｄ）、得られる時系列光強度データ（Ｂ、Ｅ）、光強度データの積算データ（Ｃ、Ｆ）のシミュレーション結果の例を示している。（Ａ）〜（Ｃ）は、光検出領域をＸ方向に移動した場合であり、（Ｄ）〜（Ｆ）は、光検出領域をＹ方向に移動した場合である。
【図９】図９（Ａ）は、従来のレーザー走査型光学顕微鏡に於けるラスタスキャン方式による走査パターンの例を模式的に示した図であり、図９（Ｂ）は、エバネッセント光を用いた顕微鏡に於ける観察可能範囲を説明する模式図である。
【符号の説明】
【００３０】１…共焦点顕微鏡装置２…光源３…シングルモードオプティカルファイバー４…コリメータレンズ５…ダイクロイックミラー６、７…ガルバノミラー８…対物レンズ９…マイクロプレート１０…ウェル（試料容器）１１…反射ミラー１２…コンデンサーレンズ１３…ピンホール１４…バリアフィルター１４ａ…ダイクロイックミラー１５…マルチモードオプティカルファイバー１６、１７…ミラー偏向器１８…光検出器１９…ステージ位置変更装置２０…コンピュータ
【発明を実施するための形態】
【００３１】  以下、本発明の好ましい実施形態について詳細に説明する。
【００３２】顕微鏡装置の構成  本発明による顕微鏡観察技術を実現する顕微鏡装置は、基本的な構成に於いて、図１（Ａ）に模式的に例示されている如き、レーザー走査による顕微鏡観察が実行可能な共焦点顕微鏡の光学系と光検出器とを組み合わせてなる装置であってよい。同図を参照して、顕微鏡装置１は、光学系２〜１８と、光学系の各部の作動を制御すると共にデータを取得し解析するためのコンピュータ２０とから構成される。顕微鏡装置１の光学系は、通常の共焦点顕微鏡の光学系と同様であってよく、そこに於いて、光源２から放射されたレーザー光（Ｅｘ）が、コリメーター２ａによって平行光となり、ダイクロイックミラー５、反射ミラー（ガルバノミラー）６、７にて反射され、対物レンズ８へ入射される。対物レンズ８の上方には、典型的には、１〜数十μＬの試料（溶液、細胞など）が分注される試料容器又はウェル１０が配列されたマイクロプレート９が配置されており、対物レンズ８から出射したレーザー光は、試料容器又はウェル１０内の試料液体中で焦点を結び、光強度の強い領域（励起領域）が形成される。試料中に於いては、観測対象物である発光粒子、典型的には、蛍光性粒子又は蛍光色素等の発光標識が付加された粒子が励起領域に進入すると、その間、発光粒子が励起され光が放出される。放出された光（Ｅｍ）は、対物レンズ８、ダイクロイックミラー５を通過し、ミラー１１にて反射してコンデンサーレンズ１２にて集光され、ピンホール１３を通過し、バリアフィルター１４を透過して（ここで、特定の波長帯域の光成分のみが選択される。）、マルチモードファイバー１５に導入されて、光検出器１８に到達し、時系列の電気信号に変換された後、コンピュータ２０へ入力され、後に説明される態様にて、発光粒子の信号の検出、発光粒子の位置の決定、その他の光分析の処理が為される。なお、当業者に於いて知られている如く、上記の構成に於いて、ピンホール１３は、対物レンズ８の焦点位置と共役の位置に配置されており、これにより、図１（Ｂ）に模式的に示されている如きレーザー光の焦点領域、即ち、励起領域内から発せられた光のみがピンホール１３を通過し、励起領域以外からの光は遮断される。図１（Ｂ）に例示されたレーザー光の焦点領域は、通常、１〜１０ｆＬ程度の実効体積を有する本顕微鏡装置に於ける光検出領域であり（典型的には、光強度が領域の中心を頂点とするガウス様分布となる。実効体積は、光強度が中心光強度の１／ｅ２となる面を境界とする略楕円球体の体積である。）、コンフォーカル・ボリュームと称される。また、本発明では、１つの発光粒子からの光、例えば、一つの蛍光色素分子からの微弱光が検出されるので、光検出器１８としては、好適には、フォトンカウンティングに使用可能な超高感度の光検出器が用いられる。光の検出がフォトンカウンティングによる場合、光強度の測定は、所定時間に亘って、逐次的に、計測単位時間（ＢＩＮ  ＴＩＭＥ）毎に、光検出器に到来するフォトンの数を計測する態様にて実行される。従って、この場合、時系列光強度のデータは、時系列フォトンカウントデータである。また、顕微鏡のステージ（図示せず）には、観察するべきウェル１０を変更するべく、マイクロプレート９の水平方向位置を移動するためのステージ位置変更装置１９が設けられていてよい。ステージ位置変更装置１９の作動は、コンピュータ２０により制御されてよい。かかる構成により、検体が複数在る場合にも、迅速な計測が達成可能となる。
【００３３】  更に、上記の顕微鏡装置の光学系に於いては、試料液体内を光検出領域により走査する、即ち、試料溶液内に於いて焦点領域、即ち、光検出領域の位置を移動するための機構が設けられる。かかる光検出領域の位置を移動するための機構としては、例えば、図１（Ａ）に模式的に例示されている如く、反射ミラー６、７とそれらの向きを変更するミラー偏向器１６、１７とを含むガルバノミラー装置であってよい（光検出領域の絶対的な位置を移動する方式）。この場合、コンピュータ２０の制御の下、反射ミラー６、７の向きが、図１（Ｃ）に模式的に例示されている如く変更されて光検出領域の位置が移動し、これにより、例えば、細胞内を光検出領域にて走査することが可能となる。なお、ガルバノミラー装置は、構造的には、通常のレーザー走査型顕微鏡に装備されているものと同様であってよいが、後に詳細に説明される如く、光検出領域の位置の移動、即ち、走査の態様が通常のレーザー走査型顕微鏡の場合とは異なる。或いは、別の態様として、図１（Ｄ）に例示されている如く、試料液体が注入されている容器１０（マイクロプレート９）の水平方向の位置を移動し、例えば、試料中の細胞内に於ける光検出領域の相対的な位置を移動するべくステージ位置変更装置１９が作動されてもよい（試料液体の絶対的な位置を移動する方式）。ステージ位置変更装置１９の位置の駆動は、コンピュータ２０の制御により実行される。更に、図示していないが、試料液体に於いて、光検出領域の位置を上下方向に移動させる機構が設けられていてよい。そのような機構としては、具体的には、対物レンズ８又はステージを上下に移動する装置が採用されてよい。また、光検出領域の位置の上下方向の移動は、対物レンズの後端から入出するビーム光を平行光とするのではなく、収斂光又は拡散光にすることによっても、達成可能である。そこで、対物レンズの後端の光路上に、焦点距離が可変のオフセットレンズや焦点可変デフォーマブルミラー（図示せず）を配置することにより、光検出領域の位置を上下方向に移動させる機構が構成されてもよい。
【００３４】  観測対象物となる発光粒子が多光子吸収により発光する場合には、上記の光学系は、多光子顕微鏡として使用される。その場合には、励起光の焦点領域（光検出領域）のみで光の放出があるので、ピンホール１３は、除去されてよい。また、顕微鏡装置１に於いては、図示の如く、複数の励起光源２が設けられていてよく、発光粒子の励起波長によって適宜、励起光の波長が選択できるようになっていてよい。同様に、光検出器１８も複数個備えられていてよく、試料中に波長の異なる複数種の発光粒子が含まれている場合に、それらから光をその波長によって別々に検出できるようになっていてよい。また、図示していないが、特許文献７の如く、発光粒子の偏光特性検出のために検出光の偏光成分を分離して光を検出できるように偏光ビームスプリッターが光路上に設けられていてもよい。
【００３５】  コンピュータ２０は、ＣＰＵおよびメモリを備え、ＣＰＵが各種演算処理を実行することにより、本発明の手順を実行する。なお、各手順は、ハードウェアにより構成するようにしてもよい。本実施形態で説明される処理の全て或いは一部は、それらの処理を実現するプログラムを記憶したコンピュータ読み取り可能な記憶媒体を用いて、コンピュータ２０により実行されてよい。即ち、コンピュータ２０は、記憶媒体に記憶されているプログラムを読み出して、情報の加工・演算処理を実行することにより、本発明の処理手順を実現するようになっていてよい。ここで、コンピュータ読み取り可能な記録媒体とは、磁気ディスク、光磁気ディスク、ＣＤ−ＲＯＭ、ＤＶＤ−ＲＯＭ、半導体メモリ等であってよく、或いは、上記のプログラムを通信回線によってコンピュータに配信し、この配信を受けたコンピュータがプログラムを実行するようにしても良い。
【００３６】本発明の顕微鏡観察技術の原理  「発明の概要」の欄に記載されている如く、本発明の顕微鏡観察技術に於いては、端的に述べれば、走査型光学顕微鏡観察に於いて、観察対象領域を複数の観察小領域に分割し、観察小領域毎に走査分子計数法の要領にて観察小領域を複数回走査し、発光粒子の有無及びその位置を決定する。そして、観察対象領域内での発光粒子の位置が決定されることから、発光粒子の存在分布が画像として表現される（画像化される）こととなる。以下、走査分子計数法と本発明の顕微鏡観察技術の原理について説明する。
【００３７】１.走査分子計数法の原理  「走査分子計数法」（特許文献３〜８）では、基本的には、光検出領域の位置を移動するための機構（ミラー偏向器１７）を駆動して光路を変更し、或いは、試料が注入されている容器１０（マイクロプレート９）の水平方向の位置を移動して、図２（Ａ）にて模式的に描かれているように、試料内に於いて光検出領域ＣＶの位置を移動しながら、即ち、光検出領域ＣＶにより試料溶液内を走査しながら、光検出が実行される。そうすると、例えば、光検出領域ＣＶが移動する間（図中、時間ｔ０〜ｔ２）に於いて１つの発光粒子の存在する領域を通過する際（ｔ１）には、発光粒子から光が放出され、図２（Ｂ）に描かれている如き時系列の光強度データ上に有意な光強度（Ｅｍ）のパルス状の信号が出現することとなる。かくして、上記の光検出領域ＣＶの位置の移動と光検出を実行し、その間に出現する図２（Ｂ）に例示されている如きパルス状の信号（有意な光強度変化）を一つずつ検出することによって、発光粒子が個別に検出され、その数をカウントすることにより、計測された領域内に存在する発光粒子の数、或いは、濃度若しくは数密度に関する情報が取得できることとなる。かかる走査分子計数法の原理に於いては、蛍光強度のゆらぎの算出の如き統計的な演算処理は行われず、発光粒子が一つずつ検出されるので、蛍光相関分光分析（ＦＣＳ）、蛍光強度分布分析（ＦＩＤＡ）等では十分な精度にて分析ができないほど、観測されるべき粒子の濃度が低い試料でも、粒子の濃度若しくは数密度に関する情報が取得可能である。時系列光強度データから発光粒子の信号を検出する具体的な手法の例は、後述される。
【００３８】２．本発明の顕微鏡観察技術の原理（ｉ）概要  「発明の概要」の欄にて触れた如く、通常のレーザー走査型共焦点顕微鏡装置の場合、観察対象領域ＯｂＲに於ける光検出領域ＣＶの走査は、典型的には、ラスタスキャン方式であり、図９（Ａ）に模式的に描かれている如く、光検出領域ＣＶの位置は、観察対象領域ＯｂＲ全体に亘って順次移動されていく。観察対象領域、即ち、走査領域の位置は、光の収差の影響が許容される範囲で、視野ＶＦ内の任意の位置、光軸方向の高さに設定することが可能である。そして、検出される光強度が微弱である場合など、光強度の積算を行うときには、光検出領域ＣＶが同じ走査経路に沿って繰り返し移動される。しかしながら、この構成の場合、最初の走査に於いて検出された発光粒子の位置が二回目以降の走査時に移動してしまうと、有意な光強度の積算の効果は得られないこととなる。一方、エバネッセント光を用いた顕微鏡装置の場合、微小な光検出領域ＣＶによる走査により光を検出するのではなく、一度に視野又は観察対象領域内の像をカメラ等の光検出器に撮り込むことが可能であり、その場合、カメラ等の光検出器に於いて、連続的に光強度又は光量の積算が可能であるので、位置の変化する発光粒子の像の場合でも有意な光強度の積算の効果が得られる。しかしながら、エバネッセント光を用いた顕微鏡装置の場合、図９（Ｂ）に模式的に描かれている如く、試料に於いて観察可能な範囲は、エバネッセント光の届くカバーガラス表面近傍に限定されてしまう。
【００３９】  そこで、本発明に於いては、位置の変化する発光粒子を、より広範な範囲にて検出可能とするために、共焦点顕微鏡又は多光子顕微鏡の光検出領域の位置が移動する形式の走査型光学顕微鏡装置の構成に於いて、図３（Ａ）又は（Ｂ）に模式的に描かれている如く、視野ＶＦ内の観察対象領域ＯｂＲが複数の観察小領域ＯｓＲに（仮想的に）分割され、観察小領域毎に、例えば、図３（Ｂ）の如く、領域（Ｘ１，Ｙ１）、（Ｘ２，Ｙ１）…のそれぞれに於いて、複数回の光検出領域による走査が実行される。かかる複数回の走査に於いては、互いに異なる少なくとも二つの方向、例えば、図３（Ｂ）、（Ｃ）を参照して、Ｘ方向Ｓ１とＹ方向Ｓ２とにそれぞれ少なくとも一回ずつ、Ｘ方向Ｓ１とＹ方向Ｓ２とＺ方向（図示せず）にそれぞれ少なくとも一回ずつ、光検出領域の位置を移動し、その間の光検出領域からの光強度の計測が実行されてよい。また、かかる複数回の走査は、一つの方向に、例えば、Ｘ方向Ｓ１又はＹ方向Ｓ２に少なくとも２回ずつ光検出領域の位置を移動し、その間の光検出領域からの光強度の計測が実行されてよい。そして、上記の複数回の光検出領域による走査に於いて時系列に得られた光検出領域からの光の強度データに於いて、先に簡単に説明された走査分子計数法の要領にて、発光粒子の信号の検出が行われる。
【００４０】  上記の本発明による顕微鏡観察技術に於いては、光検出領域の位置の移動範囲は、通常のレーザー走査型共焦点顕微鏡装置の場合と同様に、光の収差の影響が許容される範囲で任意に設定可能であるので、エバネッセント光を用いた顕微鏡装置の場合のような観察可能範囲に於ける制約はない。また、各観察小領域に於ける複数回の光検出領域による走査に要する時間は、通常のレーザー走査型共焦点顕微鏡装置のラスタスキャン方式に比して大幅に短いので、試料内で運動する発光粒子、例えば、細胞内又は細胞小器官内で運動する発光粒子の検出と位置をより精度よく達成できることとなる。特に、発光粒子の放出光が微弱でありそれを有意に検出するために光強度の積算が有効となる場合には、観察小領域の寸法と走査速度との関係を適宜設定することにより、各観察小領域の走査時間を短く設定し、同一の発光粒子の光を略同一の位置にて検出することを可能にすることができるので、有意な積算効果が期待される。更に、発光粒子の検出は、走査分子計数法の原理に従うので、蛍光強度のゆらぎの算出の如き統計的な演算処理は行われず、ＦＣＳ（蛍光相関分光分析）、ＦＩＤＡ（蛍光強度分布分析）等では十分な精度にて分析ができないほど、観測されるべき粒子の濃度が低い試料でも、粒子の存在の検出、濃度若しくは数密度に関する情報が取得可能である。
【００４１】（ii）観察小領域の寸法と光検出領域の移動範囲の設定  「発明の概要」の欄にて触れた如く、観察小領域の寸法は、光検出領域が観察小領域を走査するのに要する時間を決定するので、典型的には、光検出領域の寸法に基づいて決定される。この点に関し、もし光検出領域の寸法よりも観察小領域の寸法が大きい場合には、光検出領域による観察小領域の一回の通過で観察小領域の全域が網羅できないこととなり、その場合、光検出領域に、観察小領域のうち、最初に光検出領域に含まれなかった部分を含めて、再度、観察小領域を通過させる必要が生じ、その分、走査時間が延長されることとなる。従って、観察小領域の寸法について、好適には、図３（Ｃ）及び図４（Ａ）〜（Ｃ）に模式的に描かれている如く、その一辺が光検出領域の直径２Ｗと等しくなるよう設定される。なお、観察小領域の形状は、好適には、立方体であるが、光検出領域の走査方向に長い直方体であってもよいことは理解されるべきである（特に、一方向にしか走査をしない場合）。
【００４２】  また、各観察小領域に対する光検出領域の移動範囲は、図４（Ａ）、（Ｂ）に模式的に描かれている如く、一回の走査に於いて、光検出領域ＣＶの進行方向Ｓｄの前縁が観察小領域ＯｓＲの外側からその一辺に接した状態から、光検出領域ＣＶの後縁が観察小領域ＯｓＲの外側からその反対側の辺に接した状態までに設定されるのが好ましい。共焦点顕微鏡又は多光子顕微鏡による計測に於いては、光検出領域に含まれる領域からの光の総量が一つのデータ値として計測されるところ、そこに於いて検出される発光粒子の光強度は、光検出領域内に於ける発光粒子の位置によって増減する。即ち、通常、光検出領域内に於ける発光粒子の光強度は、発光粒子が光検出領域の略中央に位置するときに最も大きく、発光粒子が光検出領域の縁へ移動するにつれて漸減する。かかる光検出領域内に於ける発光粒子の光強度の分布の広がりは、光検出領域の大きさに対応しており、対物レンズの開口数、対物レンズへの励起光入射ビーム径及びピンホール径などから決定される点像分布関数（ＰＳＦ）に従う。従って、光検出領域が発光粒子の存在位置を通過する際には、図２に関連して既に説明されている如く、発光粒子の光強度は、釣鐘型のパルス状に変化することとなる。走査分子計数法では、かかるパルス状の光強度の時間変化を単一の発光粒子の信号として検出する。即ち、本発明の顕微鏡観察技術に於いても、図４（Ａ）に描かれている如く、一つの発光粒子ＬＰの信号を精度よく検出するためには、発光粒子に光検出領域の一方の縁から他方の縁まで通過させて、釣鐘型のパルス状の光強度の時間変化ＬＳ（一方の裾から他方の裾まで幅は、光検出領域の直径２Ｗとなる。）が得られるようにすることが好ましい。一方、図４（Ｂ）に描かれている如く、観察小領域ＯｓＲの周辺に存在する発光粒子α、βの場合には、図示の如く、光検出領域ＣＶを、その一方の縁が観察小領域ＯｓＲの一辺に接した状態（左側の状態）から、その他方の縁が観察小領域ＯｓＲの他方の一辺に接した状態（右側の状態）まで移動させることにより、それぞれ、釣鐘型のパルス状の光強度の時間変化α、βが検出できることとなる。従って、上記の如く、各観察小領域に対する光検出領域の移動範囲は、好適に、図４（Ｂ）の如く、光検出領域の進行方向の前縁及び後縁がそれぞれ外側から観察小領域の辺に接する範囲となる。即ち、光検出領域の移動距離は、一つの観察小領域に対して光検出領域の直径の２倍の４Ｗとなる。
【００４３】（iii）発光粒子の位置の決定  上記の如く、観察小領域毎に発光粒子の検出処理を実行した場合、観察対象領域内での観察小領域の位置は、その設定時に予め分かっているので、各観察小領域内に於いて検出された発光粒子の位置は、観察小領域の寸法の分解能で決定されることとなる。また、更に、既に述べた如く、各観察小領域内に於いて発光粒子の信号の検出を、釣鐘型のパルス状の光強度の時間変化（発光粒子の信号）の検出によって行う場合には、時系列光強度データ上に於いて、発光粒子の信号のピークの位置（時点）が特定される。かかる発光粒子の信号のピークの位置に於いて、発光粒子が光検出領域の、進行方向に垂直な方向の中心軸線上に存在することとなるので、発光粒子の信号のピークの位置を検出することによって、観察小領域内に於ける発光粒子の位置も特定できることとなる。具体的には、図４（Ｃ）に模式的に描かれている如く、光検出領域の走査がＸ方向に実行されている際の時系列光強度データ上に於いて、発光粒子の信号のピークの位置を特定すると、観察小領域の中心位置（又は辺の位置であってもよい。）からピークの位置のずれΔＸによって、発光粒子のＸ方向の座標が決定される。同様に、光検出領域の走査がＹ方向に実行されている際の時系列光強度データ上に於いて、発光粒子の信号のピークの位置を特定すると、観察小領域の中心位置（又は辺の位置であってもよい。）からピークの位置のずれΔＹによって、発光粒子のＹ方向の座標が決定される。そして、観察対象領域内での発光粒子の位置は、観察小領域の位置座標とΔＸ、ΔＹとによって決定されることとなる。（図示はしていないが、Ｚ方向に於いても同様に、観察小領域の特定の位置からピークの位置のずれΔＺによって、発光粒子のＺ方向の座標が決定されてよい。）
【００４４】顕微鏡観察の処理操作過程  図１（Ａ）に例示の顕微鏡装置１を用いた本発明に従った顕微鏡観察の実施形態に於いては、具体的には、（１）発光粒子を含む試料の調製、（２）試料の光強度の測定処理、及び、（３）測定された光強度の分析処理が実行される。図５は、フローチャートの形式にて表した本実施形態に於ける処理を示している。
【００４５】（１）試料の調製  本発明の顕微鏡観察技術の観測対象物となる粒子は、任意の液体中に存在する粒子であれば、任意のものであってよく、例えば、タンパク質、ペプチド、核酸、脂質、糖鎖、アミノ酸若しくはこれらの凝集体などの生体分子、ウイルス、細胞、或いは、金属コロイド、その他の非生物学的分子などであってよい。観測対象物となる粒子が光を発する粒子でない場合には、発光標識（蛍光分子、りん光分子、化学・生物発光分子）が観測対象物となる粒子に任意の態様にて付加されたものが用いられる。試料は、典型的には水溶液であるが、これに限定されず、有機溶媒その他の任意の液体であってよい。また、観測対象物となる粒子は、細胞や細胞小器官の中に存在し拡散又はその他の要因で運動する（位置の変化する）粒子であってよい。即ち、通常の細胞や細胞小器官の顕微鏡観察に利用される試料液体であってよい。
【００４６】（２）試料液体の光強度の測定（図５−ステップ１００）  本実施形態の顕微鏡観察に於いては、上記の如く、観察対象領域内の各観察小領域に於いて光検出領域の位置を移動しながら、光強度の測定が実行される。光検出領域の位置の移動は、ガルバノミラー装置１６、１７又はステージ位置変更装置１９を駆動して為される。操作処理に於いて、典型的には、マイクロプレート９のウェル１０に試料を注入して顕微鏡のステージ上に載置した後、使用者がコンピュータ２０に対して、測定の開始の指示を入力すると、コンピュータ２０は、記憶装置（図示せず）に記憶されたプログラム（試料内に於いて光検出領域の位置を移動する手順と、光検出領域の位置の移動中に光検出領域からの光を検出して時系列の光強度データを生成する手順）に従って、試料内の光検出領域に於ける励起光の照射及び光強度の計測が開始される。かかる計測中、ガルバノミラー装置１６、１７又はステージ位置変更装置１９は、コンピュータ２０のプログラムに従った処理動作の制御下、ガルバノミラー６、７又は顕微鏡のステージ上のマイクロプレート９を駆動して、ウェル１０内に於いて光検出領域の位置の移動を実行し、これと同時に光検出器１８は、逐次的に検出された光を電気信号に変換してコンピュータ２０へ送信し、コンピュータ２０では、任意の態様にて、送信された信号から時系列の光強度データを生成して保存する。なお、典型的には、光検出器１６は、一光子の到来を検出できる超高感度光検出器であるので、光の検出が、フォトンカウンティングによる場合、時系列光強度データは、時系列のフォトンカウントデータであってよい。
【００４７】  光検出領域による観察対象領域内の走査は、既に述べた如く、観察小領域毎に実行される。具体的には、例えば、光検出領域の移動は、観察小領域毎に、（ａ）Ｘ方向及びＹ方向に少なくとも一回、（ｂ）Ｘ方向、Ｙ方向及びＺ方向に少なくとも一回、（ｃ）Ｘ方向（又はＹ方向）及びＺ方向に少なくとも一回、或いは、（ｄ）Ｘ方向、Ｙ方向又はＺ方向に少なくとも二回、実行されてよい。そして、一つの観察小領域についての走査が完了すると、隣接する観察小領域にて同様に光検出領域の移動が実行されてよい。
【００４８】  光強度の計測中の光検出領域の位置の移動速度は、任意に、例えば、実験的に又は分析の目的に適合するよう設定された所定の速度であってよい。計測中の経過時間と光検出領域の位置の移動距離とが比例関係にある方が測定結果の解釈が容易となるので、移動速度は、基本的に、一定速度であることが好ましいが、これに限定されない。
【００４９】  ところで、光検出領域の位置の移動速度に関して、計測された時系列の光強度データからの発光粒子の個別の検出、或いは、発光粒子の数のカウンティングを、定量的に精度よく実行するためには、かかる移動速度は、発光粒子のランダムな運動、即ち、ブラウン運動による移動速度よりも速い値に設定されることが好ましい。本発明の顕微鏡観察技術の観測対象粒子は、液体中にて運動可能な粒子であるので、ブラウン運動によって位置が時間と伴に移動する場合がある。そして、光検出領域の位置の移動速度が粒子のブラウン運動による移動に比して遅い場合には、図６（Ａ）に模式的に描かれている如く、粒子が領域内をランダムに移動し、これにより、光強度がランダムに変化し（既に触れた如く、光検出領域の励起光強度は、領域の中心を頂点として外方に向かって低減する。）、個々の発光粒子に対応する有意な光強度の変化を特定することが困難となる。そこで、好適には、図６（Ｂ）に描かれている如く、粒子が光検出領域を略直線に横切り、これにより、時系列の光強度データに於いて、図６（Ｃ）の最上段に例示の如く、個々の発光粒子に対応する光強度の変化のプロファイルが釣鐘型となり（発光粒子が略直線的に光検出領域を通過する場合には、光強度の変化のプロファイルは、励起光強度分布と略同様となる。）、個々の発光粒子と光強度との対応が容易に特定できるように、光検出領域の位置の移動速度は、粒子のブラウン運動による平均の移動速度（拡散移動速度）よりも速く設定される。
【００５０】  具体的には、拡散係数Ｄを有する発光粒子がブラウン運動によって半径Ｗの光検出領域（コンフォーカルボリューム）を通過するときに要する時間Δｔは、平均二乗変位の関係式    （２Ｗ）２＝６Ｄ・Δｔ      …（１）から、    Δｔ＝（２Ｗ）２／６Ｄ      …（２）となるので、発光粒子がブラウン運動により移動する速度（拡散移動速度）Ｖdifは、概ね、    Ｖdif＝２Ｗ／Δｔ＝３Ｄ／Ｗ      …（３）となる。そこで、光検出領域の位置の移動速度は、かかるＶdifを参照して、それよりも十分に早い値に設定されてよい。例えば、発光粒子の拡散係数が、Ｄ＝２．０×１０−１０ｍ２／ｓ程度であると予想される場合には、Ｗが、０．６２μｍ程度だとすると、Ｖdifは、１．０×１０−３ｍ／ｓとなるので、光検出領域の位置の移動速度は、その１０倍以上の１５ｍｍ／ｓなどと設定されてよい。なお、観測対象粒子の拡散係数が未知の場合には、光検出領域の位置の移動速度を種々設定して光強度の変化のプロファイルが、予想されるプロファイル（典型的には、励起光強度分布と略同様）となる条件を見つけるための予備実験を繰り返し実行して、好適な光検出領域の位置の移動速度が決定されてよい。
【００５１】  更に、各観察小領域に於いて、光検出領域の走査を複数回実行する場合、その走査時間内に於いて観察小領域内に存在する発光粒子が観察小領域から逸脱しないようにしなければ、有意な積算効果が得られず、また、後に説明される如く、走査時間内の位置の変化を利用した解析（拡散定数の検出など）を有効に実行できない。従って、観察小領域の寸法は、観察小領域に於いて光検出領域の位置を移動させる時間内に於ける検出されるべき発光粒子の（予想される）移動距離が観察小領域の寸法よりも小さくなるよう設定されることが好ましいこととなる。しかしながら、上記の如く、観察小領域の一辺は、好適には、光検出領域の直径に略等しく設定される。そこで、実際には、発光粒子の拡散による移動距離が観察小領域の寸法を越えない走査時間となるように走査速度が設定されてよい。具体的には、移動速度ｖにて一回の走査距離が４Ｗである経路をｋ回走査したときの光検出領域の走査時間ΔＴは、      ΔＴ＝４Ｗ・ｋ／ｖ      …（４）で与えられる。一方、走査時間ΔＴに於ける拡散による発光粒子の移動距離ｘは、式（１）と同様に、      ＜ｘ＞２＝２ＤΔＴ      …（５）にて与えられる。ここで、ｘ２≦Ｗ２の条件が成立すべきであるので、結局、      ｖ≧８Ｄ・ｋ／Ｗ      …（６）が成立するように、走査速度が設定されることが好ましい。
【００５２】（３）光強度の分析処理  各観察小領域の走査によって時系列光強度データの生成が為されると、時系列光強度データの光強度値を用いて、下記の如く、発光粒子の信号の検出、発光粒子のカウンティング、発光粒子の位置の決定、その他の各種分析（濃度算出等）が実行されてよい。
【００５３】（ｉ）発光粒子の信号の個別検出（図５−ステップ１１０〜１６０）  既に触れた如く、一つの発光粒子の光検出領域を通過する際の軌跡が、図６（Ｂ）に示されている如く略直線状である場合、その粒子に対応する信号に於ける光強度データ上での光強度の変化は、光学系により決定される光検出領域内の光強度分布を反映した略釣鐘状のプロファイルを有する。従って、走査分子計数法では、基本的には、光強度データ上で、適宜設定される閾値Ｉｔｈを超える光強度値が継続する時間幅Δτが所定の範囲にあるとき、その光強度のプロファイルを有する信号が一つの粒子が光検出領域を通過したことに対応すると判定され、一つの発光粒子の検出が為されるようになっていてよい。そして、光強度が閾値Ｉｔｈを超えないか、時間幅Δτが所定の範囲にない信号は、ノイズ又は異物の信号として判定される。また、光検出領域の光強度分布が、ガウス分布：    Ｉ＝Ａ・ｅｘｐ（−２ｔ２／ａ２）      …（７）であると仮定できるときには、有意な光強度のプロファイル（バックグラウンドでないと明らかに判断できるプロファイル）に対して式（７）をフィッティングして算出された強度Ａ及び幅ａが所定の範囲内にあるとき、その光強度のプロファイルが一つの粒子が光検出領域を通過したことに対応すると判定され、一つの発光粒子の検出が為されてよい。一方、強度Ａ及び幅ａが所定の範囲外にある信号は、ノイズ又は異物の信号として判定され、その後の分析等に於いて無視されてよい。）
【００５４】  光強度データ上の信号の検出の処理の一つの例に於いては、まず、光強度データ（図６（Ｃ）、最上段「検出結果（未処理）」）に対して、スムージング（平滑化）処理が為される（図５−ステップ１１０、図６（Ｃ）中上段「スムージング」）。発光粒子の発する光は確率的に放出されるものであり、微小な時間に於いてデータ値の欠落が生じ得るため、かかるスムージング処理によって、前記の如きデータ値の欠落を無視できることとなる。スムージング処理は、前記の如きデータ値の欠落を無視できるようになるまで、例えば、移動平均法により為されてよい。なお、スムージング処理を実行する際のパラメータ、例えば、移動平均法に於いて一度に平均するデータ点数や移動平均の回数など、は、光強度データ取得時の光検出領域の位置の移動速度（走査速度）、ＢＩＮ  ＴＩＭＥに応じて適宜設定されてよい。
【００５５】  次いで、スムージング処理後の光強度データに於いて、有意なパルス状の信号（以下、「パルス信号」と称する。）が存在する時間領域（パルス存在領域）を検出するために、スムージング処理後の光強度データの時間についての一次微分値が演算される（ステップ１２０）。光強度データの時間微分値は、図６（Ｃ）中下段「時間微分」に例示されている如く、信号値の変化時点に於ける値の変化が大きくなるので、かかる時間微分値を参照することによって、有意な信号の始点と終点を有利に決定することができる。
【００５６】  しかる後、光強度データ上に於いて、逐次的に、有意なパルス信号が検出される（ステップ１３０〜１６０）。具体的には、まず、光強度データの時間微分値データ上にて、逐次的に時間微分値を参照して、一つのパルス信号の始点と終点とが探索され決定され、パルス存在領域が特定される（ステップ１３０）。一つのパルス存在領域が特定されると、そのパルス存在領域に於けるスムージングされた光強度データに対して、釣鐘型関数のフィッティングが行われ（図６（Ｃ）下段「釣鐘型関数フィッティング」）、釣鐘型関数のパルスのピーク（最大値）の強度Ｉpeak、パルス幅（半値全幅）Ｗpeak、フィッティングに於ける（最小二乗法の）相関係数等のパラメータが算出される（ステップ１４０）。なお、フィッティングされる釣鐘型関数は、典型的には、ガウス関数であるが、ローレンツ型関数であってもよい。そして、算出された釣鐘型関数のパラメータが、一つの発光粒子が光検出領域を通過したときに検出されるパルス信号が描く釣鐘型のプロファイルのパラメータについて想定される範囲内にあるか否か、即ち、パルスのピーク強度、パルス幅、相関係数が、それぞれ、所定範囲内にあるか否か等が判定される（ステップ１５０）。かくして、図７左に示されている如く、算出された釣鐘型関数のパラメータが一つの発光粒子に対応する信号に於いて想定される範囲内にあると判定された信号は、一つの発光粒子に対応する信号であると判定され、これにより、一つの発光粒子が検出されたこととなる。一方、図７右に示されている如く、算出された釣鐘型関数のパラメータが想定される範囲内になかったパルス信号は、ノイズとして無視される。なお、発光粒子の信号の検出と同時に信号数のカウンティング、即ち、発光粒子のカウンティングが実行されてよい。
【００５７】  上記のステップ１３０〜１５０の処理に於けるパルス信号の探索及び判定は、各観察小領域の光強度データの全域に渡って繰り返し実行されてよい（ステップ１６０）。互いに異なる成分の光を別々に検出し、複数の時系列光強度データが生成されている場合には、それぞれの時系列光強度データについて、ステップ１３０〜１５０の処理が実行されてよい。なお、光強度データから発光粒子の信号を個別に検出する処理は、上記の手順に限らず、任意の手法により実行されてよい。
【００５８】（ii）同一発光粒子の信号の積算（図５−ステップ１７０）  ところで、本実施形態の顕微鏡観察技術に於いては、各観察小領域に於いて、同一の方向に複数回の走査が実行されている場合には、時系列光検出データ上には、同一の発光粒子の信号が反復して出現していることが期待される。その場合、時系列光検出データ上のデータ値又は発光粒子の信号として検出された領域のデータ値を、走査経路に沿って、走査経路上の位置が互いに一致するように積算することにより、発光粒子の信号の精度の向上が期待される。かかる積算の具体的な態様の一つに於いては、上記の如く、各観察小領域に於いて、時系列光検出データ上に於ける発光粒子の信号を個別に検出した後、検出された発光粒子の信号の光強度値を積算し、その総和又は平均値等が発光粒子の信号の光強度値として用いられるようになっていてよい。かかる光強度値の積算の際に、同一の発光粒子の信号を抽出する処理は、例えば、特許文献６〜７に記載されている要領にて実行されてよい。
【００５９】  時系列光検出データの積算の別の態様としては、時系列光検出データ上に於ける発光粒子の信号の個別検出に先立って、走査経路に沿ったデータ値の積算が為されてよい（ステップ１０５）。この場合、特に、一回の走査に於いて得られた発光粒子の光強度値が微弱であるときに、データ値の積算によって、発光粒子の光強度値が増大し、これにより、発光粒子の信号の個別検出の精度の向上が期待される。図８は、走査経路に沿ったデータ値の積算の後に発光粒子の信号の個別検出を実行する場合の処理のシミュレーション例を示した図である。なお、図８（Ａ）、（Ｄ）は、それぞれ、拡散定数Ｄ＝１μｍ２／ｓｅｃの発光粒子ＬＰが０．４μｍ四方の観察小領域ＯｓＲ内にてブラウン運動している状態に於いて、Ｘ方向（図８（Ａ）中のＳ１＋、Ｓ１−）及びＹ方向（図８（Ｄ）中のＳ２＋、Ｓ２−）に光検出領域ＣＶを速度６．４ｍｍ／ｓｅｃにて（振幅０．８μｍ、周波数４ｋＨｚ）反復移動した場合の粒子の動きを模式的に表した図であり、図８（Ｂ）の上段、図８（Ｅ）の上段は、かかる走査に於いて得られるフォトンカウントＰＣの例である。この例の場合、走査回数が５回で走査時間は１．２５ｍ秒となるので、拡散による変位は、０．０９μｍ程度となる。
【００６０】  図８を参照して、図８（Ｂ）上段、（Ｅ）上段から理解される如く、上記の如く、走査しながら光検出を実行すると、時系列フォトンカウントデータＰＣ（光強度データ）に於いては、同一の発光粒子ＬＰの信号が反復して出現することとなる。しかしながら、図示の例では、それぞれ、偶数回目の走査は、光検出領域の移動方向が逆向きとなる。そこで、データの積算の前には、光検出領域の移動方向が逆向きの期間に対応するデータ領域について、図８（Ｂ）下段、（Ｅ）下段に示されている如く、時間軸の反転が実行される。しかる後、図８（Ｂ）下段、（Ｅ）下段の時系列フォトンカウントデータについて、走査経路上の位置が一致するように、即ち、図８（Ｂ）下段、（Ｅ）下段中の各矢印に対応する領域が互いに重なるように、データ値の積算が実行される。そうすると、図８（Ｃ）、（Ｆ）に例示されている如く、発光粒子ＬＰの信号強度は増大するので、発光粒子の信号の個別検出の精度（信号とノイズを識別する精度）の向上が期待されることとなる。なお、各観察小領域の時系列フォトンカウントデータに於いて、発光粒子の信号検出の精度を向上するための具体的な処理は、特許文献８に記載されている要領にて実行されてよい。
【００６１】（iii）発光粒子の位置の決定（図５−ステップ１８０）  既に触れた如く、各観察小領域に於いて発光粒子の信号が検出されると、観察対象領域ＯｂＲ内の各観察小領域ＯｓＲの位置（座標）が既知であるので、観察小領域の寸法の分解能にて発光粒子の位置が決定される。更に、発光粒子の信号のピークの出現位置と観察小領域の特定の位置（中心又は縁など）との距離から発光粒子の位置（座標）がより詳細に決定できることとなる（図４（Ｃ）参照）。かくして、発光粒子の位置が決定されると、その情報を用いて、観察対象領域ＯｂＲ内に於ける発光粒子の存在分布を画像として表現することが可能となる。また、発光粒子の存在分布画像は、観察対象領域ＯｂＲを別の任意の顕微鏡観察法（位相差顕微鏡法、微分干渉顕微鏡法、落射蛍光顕微鏡法など）によって得られた顕微鏡像に重ね合わせてコンピュータ２０のディスプレイに表示されるようになっていてよい。具体的には、任意の顕微鏡観察法によって得られた顕微鏡像に於いて発光粒子の位置をプロットして得られるプロット画像が生成されるようになっていてよい。
【００６２】（iv）発光粒子濃度の決定  検出された発光粒子の信号の数を計数して、発光粒子の数の決定が為されている場合、更に、任意の手法にて、光検出領域の通過した領域の総体積が算定されれば、その体積値と発光粒子の数とから試料中の発光粒子の濃度が決定可能となる。光検出領域の通過した領域の総体積は、例えば、特許文献１に記載されている要領にて決定されてよい。
【００６３】（ｖ）発光粒子の大きさの推定  走査分子計数法に於いて、特許文献６に記載されている如く、同一の発光粒子の信号を複数回検出した場合には、それらの信号の発生時点（ピークの時点）を用いて走査周期に於ける発光粒子の変位が検出され、かかる変位から発光粒子の並進拡散特性（例えば、拡散定数）を見積もることができる。並進拡散特性は、発光粒子の大きさの関数であるから、これにより、検出された発光粒子の大きさの推定が可能となる。そこで、本発明の顕微鏡観察技術に於いても、各観察小領域内にて検出された発光粒子の信号の発生時点を用いて、発光粒子の並進拡散特性及び発光粒子の大きさの推定が為されてよい。具体的な処理は、特許文献６に記載されている要領にて実行されてよい。また、図８の例の如く、発光粒子の信号の検出の前に光強度の積算を行った場合には、積算された発光粒子の信号の幅ｄを参照することにより、並進拡散特性を見積もることが可能である（拡散定数が大きいほど、走査時間内での発光粒子の変位が大きくなり、積算信号の幅ｄは増大する。）。
【００６４】  また、走査分子計数法に於いては、特許文献７に記載されている如く、検出光の偏光成分を別々に検出することにより、発光粒子の偏光特性又は回転拡散特性（例えば、偏光度）の計測が可能である。特に、回転拡散特性は、発光粒子の大きさの関数であるから、これにより、検出された発光粒子の大きさの推定が可能となる。そこで、本発明の顕微鏡観察技術に於いても、光検出領域からの光を複数の偏光成分に分けて検出し、それらの偏光成分の強度を用いて各観察小領域内にて検出された発光粒子の偏光特性又は回転拡散特性及び発光粒子の大きさの推定が為されてよい。具体的な処理は、特許文献７に記載されている要領にて実行されてよい。
【００６５】  上記の如く、発光粒子の濃度、並進拡散特性、偏光特性又は回転拡散特性及び／又は大きさが見積もられた場合、それらの値は、発光粒子の存在分布を表す画像に関連して表示されるようになっていてよい。或いは、各観察小領域に於いて得られた各特性値を、発光粒子の濃度、並進拡散特性、偏光特性又は回転拡散特性及び／又は大きさの分布を表す画像として表示するようになっていてよい。また、これらの発光粒子の特性は、別の任意の顕微鏡観察法によって得られた細胞又は細胞小器官などの顕微鏡像に重畳して表示されるようになっていてよい。これにより、細胞又は細胞小器官内に存在する発光粒子の特性を細胞又は細胞小器官内の位置を特定した状態にて把握することが可能となる。
【００６６】  かくして、上記の本発明の顕微鏡観察技術によれば、観察対象領域内の観察小領域毎に光検出領域による複数回の走査を実行し、走査分子計数法による発光粒子の個別検出を実行することによって、厚みのある試料中に於いて動的に位置が変化する発光粒子の存在分布を表す画像の形成が可能となる。かかる特徴によれば、特に、細胞内又は細胞小器官内に於ける発光粒子の存在位置を個別に検出することが可能となり、細胞又は細胞小器官等の研究等に有利に利用できることが期待される。
【図１】
2015015951.tif 000003
【図２】
2015015951.tif 000004
【図３】
2015015951.tif 000005
【図４】
2015015951.tif 000006
【図５】
2015015951.tif 000007
【図６】
2015015951.tif 000008
【図７】
2015015951.tif 000009
【図８】
2015015951.tif 000010
【図９】
2015015951.tif 000011
【手続補正書】
【提出日】平成26年10月7日(2014.10.7)
【手続補正１】
【補正対象書類名】特許請求の範囲
【補正対象項目名】全文
【補正方法】変更
【補正の内容】
【特許請求の範囲】
【請求項１】
共焦点顕微鏡又は多光子顕微鏡の光学系を用いて試料液体中の発光粒子からの光を検出し発光粒子を検出する光学顕微鏡装置であって、
前記顕微鏡の視野内に於ける観察対象領域を複数に分割して得られる観察小領域毎に該観察小領域内にて前記光検出領域の位置を連続して複数回移動する光検出領域移動部と、
前記光検出領域からの光を検出する光検出部と、
前記観察小領域の各々に於いて前記光検出領域の位置を移動させながら前記光検出部にて前記検出された前記光検出領域からの光の時系列の光強度データを生成し、前記時系列の光強度データに於いて前記発光粒子の各々からの光を表す光強度変化のプロファイルを有する信号を個別に検出し、前記検出された信号に対応する発光粒子の各々の前記観察対象領域内に於ける位置を決定する信号処理部と
を含む装置。
【請求項２】
請求項１の装置であって、前記観察小領域の各々に於ける前記光検出領域の位置の移動が前記観察小領域毎に少なくとも二つの方向に連続して実行される装置。
【請求項３】
請求項１又は２の装置であって、前記観察小領域の各々に於ける前記光検出領域の位置の移動が前記観察小領域毎に同一の方向に連続して複数回実行される装置。
【請求項４】
請求項１乃至３のいずれかの装置であって、前記観察小領域の寸法が前記光検出領域の寸法に基づいて決定される装置。
【請求項５】
請求項１乃至４のいずれかの装置であって、前記観察小領域に於いて前記光検出領域の位置を移動させる時間内に於ける検出されるべき発光粒子の移動距離が前記観察小領域の寸法よりも小さくなるよう前記観察小領域の寸法が設定される装置。
【請求項６】
請求項１乃至５のいずれかの装置であって、前記観察小領域の一辺の長さが前記光検出領域の直径に略等しくなるよう設定され、前記観察小領域の各々に於ける前記光検出領域の位置の一回の移動が、前記光検出領域のその進行方向の前縁が前記観察小領域の一方の縁を通過し、前記光検出領域のその進行方向の後縁が前記観察小領域の他方の縁に到達するまで実行される装置。
【請求項７】
請求項１乃至６のいずれかの装置であって、前記観察対象領域内に於ける位置の決定された前記発光粒子の位置を、任意の手法にて生成された前記観察対象領域の顕微鏡画像に於いて、プロットして得られるプロット画像を生成する装置。
【請求項８】
請求項１乃至７のいずれかの装置であって、前記信号処理部が前記観察小領域毎の前記複数回の前記光検出領域の移動によって得られた同一の発光粒子の信号の特性を用いて前記発光粒子の大きさに関する情報を決定する装置。
【請求項９】
請求項８の装置であって、前記発光粒子の大きさに関する情報の決定に用いられる前記発光粒子の信号の特性が、前記発光粒子の並進拡散特性を表す指標値又は前記発光粒子の回転拡散特性を表す指標値である装置。
【請求項１０】
請求項１乃至９のいずれかの装置であって、前記信号処理部が前記検出された発光粒子の数に基づいて、前記観察対象領域中の前記発光粒子の数又は前記液体中の発光粒子の濃度を決定する装置。
【請求項１１】
共焦点顕微鏡又は多光子顕微鏡の光学系を用いて試料液体中の発光粒子からの光を検出し発光粒子を検出する光学的顕微鏡観察方法であって、
前記顕微鏡の視野内に於ける観察対象領域を複数に分割して得られる観察小領域毎に該観察小領域内にて前記光検出領域の位置を連続して複数回移動する過程と、
前記光検出領域からの光を検出する過程と、
前記観察小領域の各々に於いて前記光検出領域の位置を移動させながら検出された前記光検出領域からの光の時系列の光強度データを生成し、前記時系列の光強度データに於いて前記発光粒子の各々からの光を表す光強度変化のプロファイルを有する信号を個別に検出し、前記検出された信号に対応する発光粒子の各々の前記観察対象領域内に於ける位置を決定する過程と
を含む方法。
【請求項１２】
請求項１１の方法であって、前記観察小領域の各々に於ける前記光検出領域の位置の移動が前記観察小領域毎に少なくとも二つの方向に連続して実行される方法。
【請求項１３】
請求項１１又は１２の方法であって、前記観察小領域の各々に於ける前記光検出領域の位置の移動が前記観察小領域毎に同一の方向に連続して複数回実行される方法。
【請求項１４】
請求項１１乃至１３のいずれかの方法であって、前記観察小領域の寸法が前記光検出領域の寸法に基づいて決定される方法。
【請求項１５】
請求項１１乃至１４のいずれかの方法であって、前記観察小領域に於いて前記光検出領域の位置を移動させる時間内に於ける検出されるべき発光粒子の移動距離が前記観察小領域の寸法よりも小さくなるよう前記観察小領域の寸法が設定される方法。
【請求項１６】
請求項１１乃至１５のいずれかの方法であって、前記観察小領域の一辺の長さが前記光検出領域の直径に略等しくなるよう設定され、前記観察小領域の各々に於ける前記光検出領域の位置の一回の移動が、前記光検出領域のその進行方向の前縁が前記観察小領域の一方の縁を通過し、前記光検出領域のその進行方向の後縁が前記観察小領域の他方の縁に到達するまで実行される方法。
【請求項１７】
請求項１１乃至１６のいずれかの方法であって、更に、前記観察対象領域内に於ける位置の決定された前記発光粒子の位置を、任意の手法にて生成された前記観察対象領域の顕微鏡画像に於いて、プロットして得られるプロット画像を生成する過程を含む方法。
【請求項１８】
請求項１３及び請求項１３を引用する請求項１４乃至１７のいずれかの方法であって、更に、前記観察小領域毎の前記複数回の前記光検出領域の移動によって得られた同一の発光粒子の信号の特性を用いて前記発光粒子の大きさに関する情報を決定する過程を含む方法。
【請求項１９】
請求項１８の方法であって、前記発光粒子の大きさに関する情報の決定に用いられる前記発光粒子の信号の特性が、前記発光粒子の並進拡散特性を表す指標値又は前記発光粒子の回転拡散特性を表す指標値である方法。
【請求項２０】
請求項１１乃至１９のいずれかの方法であって、更に、前記検出された発光粒子の数に基づいて、前記観察対象領域中の前記発光粒子の数又は前記液体中の発光粒子の濃度を決定する過程を含む方法。
【請求項２１】
共焦点顕微鏡又は多光子顕微鏡の光学系を用いて試料液体中の発光粒子からの光を検出し発光粒子を検出するための光学顕微鏡観察用コンピュータプログラムであって、
前記顕微鏡の視野内に於ける観察対象領域を複数に分割して得られる観察小領域毎に該観察小領域内にて前記光検出領域の位置を連続して複数回移動する手順と、
前記光検出領域からの光を検出する手順と、
前記観察小領域の各々に於いて前記光検出領域の位置を移動させながら検出された前記光検出領域からの光の時系列の光強度データを生成し、前記時系列の光強度データに於いて前記発光粒子の各々からの光を表す光強度変化のプロファイルを有する信号を個別に検出し、前記検出された信号に対応する発光粒子の各々の前記観察対象領域内に於ける位置を決定する手順と
をコンピュータに実行させることを特徴とするコンピュータプログラム。
【請求項２２】
請求項２１のコンピュータプログラムであって、前記観察小領域の各々に於ける前記光検出領域の位置の移動が前記観察小領域毎に少なくとも二つの方向に連続して実行されるコンピュータプログラム。
【請求項２３】
請求項２１又は２２のコンピュータプログラムであって、前記観察小領域の各々に於ける前記光検出領域の位置の移動が前記観察小領域毎に同一の方向に連続して複数回実行されるコンピュータプログラム。
【請求項２４】
請求項２１乃至２３のいずれかのコンピュータプログラムであって、前記観察小領域の寸法が前記光検出領域の寸法に基づいて決定されるコンピュータプログラム。
【請求項２５】
請求項２１乃至２４のいずれかのコンピュータプログラムであって、前記観察小領域に於いて前記光検出領域の位置を移動させる時間内に於ける検出されるべき発光粒子の移動距離が前記観察小領域の寸法よりも小さくなるよう前記観察小領域の寸法が設定されるコンピュータプログラム。
【請求項２６】
請求項２１乃至２５のいずれかのコンピュータプログラムであって、前記観察小領域の一辺の長さが前記光検出領域の直径に略等しくなるよう設定され、前記観察小領域の各々に於ける前記光検出領域の位置の一回の移動が、前記光検出領域のその進行方向の前縁が前記観察小領域の一方の縁を通過し、前記光検出領域のその進行方向の後縁が前記観察小領域の他方の縁に到達するまで実行されるコンピュータプログラム。
【請求項２７】
請求項２１乃至２６のいずれかのコンピュータプログラムであって、更に、前記観察対象領域内に於ける位置の決定された前記発光粒子の位置を、任意の手法にて生成された前記観察対象領域の顕微鏡画像に於いて、プロットして得られるプロット画像を生成する手順を含むコンピュータプログラム。
【請求項２８】
請求項２３及び請求項２３を引用する請求項２４乃至２７のいずれかのコンピュータプログラムであって、更に、前記観察小領域毎の前記複数回の前記光検出領域の移動によって得られた同一の発光粒子の信号の特性を用いて前記発光粒子の大きさに関する情報を決定する手順を含むコンピュータプログラム。
【請求項２９】
請求項２８のコンピュータプログラムであって、前記発光粒子の大きさに関する情報の決定に用いられる前記発光粒子の信号の特性が、前記発光粒子の並進拡散特性を表す指標値又は前記発光粒子の回転拡散特性を表す指標値であるコンピュータプログラム。
【請求項３０】
請求項２１乃至２９のいずれかのコンピュータプログラムであって、更に、前記検出された発光粒子の数に基づいて、前記観察対象領域中の前記発光粒子の数又は前記液体中の発光粒子の濃度を決定する手順を含むコンピュータプログラム。
【国際調査報告】
2015015951.tif 000012
2015015951.tif 000013
2015015951.tif 000014
2015015951.tif 000015